(57)【要約】【課題】洗浄性能を向上し、短時間で配管洗浄を行うことのできる蓄熱式空気調和機を得る。【解決手段】室外ユニットと蓄熱ユニットと室内ユニットとが配管接続された蓄熱式空気調和機において、蓄熱膨張装置８と室内膨張装置１１との間であり、蓄熱ユニット内部に設けられた第１開閉弁６１と、第１蓄熱開閉弁５１と室内熱交換器１２との間であり、蓄熱ユニット内部に設けられた第２開閉弁６２と、第１開閉弁５１と室内膨張装置１１との配管途中であり、蓄熱ユニット内に設けられた第１洗浄装置接続口７１と、第２開閉弁５２と室内熱交換器１２との配管途中であり、蓄熱ユニット内に設けられた第２洗浄装置接続口７２とを備える。【選択図】図１
2005037020.tif 000002
【特許請求の範囲】
【請求項１】
圧縮機、室外熱交換器を有する室外ユニットと、蓄熱熱交換器、蓄熱媒体、蓄熱膨張装置、第１蓄熱開閉弁が配管で順次連結された蓄熱ユニットと、室内熱交換器と室内膨張装置を有する室内ユニットと、が配管接続された蓄熱式空気調和機において、
前記蓄熱膨張装置と前記室内膨張装置との間であり、前記蓄熱ユニット内部に設けられた第１開閉弁と、
前記第１蓄熱開閉弁と前記室内熱交換器との間であり、前記蓄熱ユニット内部に設けられた第２開閉弁と、
前記第１開閉弁と前記室内膨張装置との配管途中であり、前記蓄熱ユニット内に設けられた第１洗浄装置接続口と、
前記第２開閉弁と前記室内熱交換器との配管途中であり、前記蓄熱ユニット内に設けられた第２洗浄装置接続口と、
を備えたことを特徴とした蓄熱式空気調和機。
【請求項２】
請求項１に記載のものにおいて、洗浄装置の吐出側接続口を前記第１洗浄装置接続口へ、洗浄装置の吸入側接続口を前記第２洗浄装置接続口へ接続し、前記洗浄装置を運転するときは前記室内膨張装置を開くことを特徴とする蓄熱式空気調和機。
【請求項３】
請求項１に記載のものにおいて、前記室内ユニットを複数台備え、洗浄装置の吐出側接続口を前記第１洗浄装置接続口へ、洗浄装置の吸入側接続口を前記第２洗浄装置接続口へ接続し、前記洗浄装置を運転するときは前記複数台のうち一部の前記室内膨張装置を開き、他の前記室内膨張装置を閉じることを特徴とする蓄熱式空気調和機。
【発明の詳細な説明】
【０００１】
【発明の属する技術分野】
本発明は、蓄熱式空気調和機に関する。
【０００２】
【従来の技術】
従来、空気調和機の冷媒としては、ＣＦＣクロロフルオロカーボンやＨＣＦＣハイドロクロロフルオロカーボンが用いられてきたが、これらの冷媒が大気中に放出された場合、これらの冷媒に含まれる塩素原子が、オゾン層を破壊する恐れがあり、ＣＦＣが全廃され、ＨＣＦＣについても全廃することが決まっている。これらの冷媒に替わり、塩素原子を含まないＨＦＣハイドロフルオロカーボンが使用されはじめている。
【０００３】
しかし、ＨＣＦＣ冷媒使用の空気調和機で使用されていた冷凍機油は、ＨＦＣ冷媒との相溶性が非常に少ない。また、ＣＦＣ系冷媒やＨＣＦＣ系冷媒を使用した空気調和機を、ＨＦＣ系冷媒を使用する空気調和機に変更する場合、既設配管を利用することが良いが、そのためには冷凍サイクル内を冷凍機油を除去する洗浄を行なう必要がある。そして、配管を洗浄する場合は、室外ユニット、蓄熱ユニット、室内ユニットを順次配管で連結し、室外ユニットの圧縮機を駆動させて室外ユニットと蓄熱ユニットを連結する配管、蓄熱ユニットと室内ユニットを連結する配管の内部を洗浄することが知られ、例えば特開２００３−９０６５２号公報に記載されている。
【特許文献１】
特開２００３−９０６５２号公報
【０００４】
【発明が解決しようとする課題】
上記従来の技術では、蓄熱ユニット内部の弁体による圧力損失により洗浄流体の流速の低下による洗浄性能の低下が起き、蓄熱ユニットから室内ユニットまでの配管洗浄に時間が掛かったり、冷凍機油の付着が多くなったりする。また、蓄熱熱交換器は、複数の配管が並列に配置されるので、洗浄冷媒の流速が落ち、配管洗浄により冷媒中に溶けた油が蓄熱熱交換器に溜まりやすくなる。
【０００５】
本発明は、上記従来技術の課題を解決し、洗浄性能を向上し、短時間で配管洗浄を行うことのできる蓄熱式空気調和機を提供することにある。
【０００６】
【課題を解決するための手段】
本発明は、圧縮機、室外熱交換器を有する室外ユニットと、蓄熱熱交換器、蓄熱媒体、蓄熱膨張装置、第１蓄熱開閉弁が配管で順次連結された蓄熱ユニットと、室内熱交換器と室内膨張装置を有する室内ユニットと、が配管接続された蓄熱式空気調和機において、前記蓄熱膨張装置と前記室内膨張装置との間であり、前記蓄熱ユニット内部に設けられた第１開閉弁と、前記第１蓄熱開閉弁と前記室内熱交換器との間であり、前記蓄熱ユニット内部に設けられた第２開閉弁と、前記第１開閉弁と前記室内膨張装置との配管途中であり、前記蓄熱ユニット内に設けられた第１洗浄装置接続口と、前記第２開閉弁と前記室内熱交換器との配管途中であり、前記蓄熱ユニット内に設けられた第２洗浄装置接続口と、を備えたものである。
【０００７】
また、上記のものにおいて、洗浄装置の吐出側接続口を前記第１洗浄装置接続口へ、洗浄装置の吸入側接続口を前記第２洗浄装置接続口へ接続し、前記洗浄装置を運転するときは前記室内膨張装置を開くことが望ましい。
【０００８】
さらに、上記のものにおいて、前記室内ユニットを複数台備え、洗浄装置の吐出側接続口を前記第１洗浄装置接続口へ、洗浄装置の吸入側接続口を前記第２洗浄装置接続口へ接続し、前記洗浄装置を運転するときは前記複数台のうち一部の前記室内膨張装置を開き、他の前記室内膨張装置を閉じることが望ましい。
【０００９】
【発明の実施の形態】
以下、図面を参照して実施の形態を説明する。
図１は一実施の形態を示し、室外ユニットは圧縮機１、四方弁２、熱交換器３、室外膨張装置４が順次配管で連結され、蓄熱ユニットは第１蓄熱開閉弁５１、第２蓄熱開閉弁５２、第３蓄熱開閉弁５３、第１開閉弁６１、第２開閉弁６２、第１洗浄装置接続口７１、第２洗浄装置接続口７２、蓄熱膨張装置８、蓄熱媒体９、蓄熱熱交換器１０で構成され、室内ユニットは室内膨張装置１１、室内熱交換器１２が順次配管で連結されている。
【００１０】
第２蓄熱開閉弁５２は室外膨張装置４と室内膨張装置１１とを接続する配管途中に配置され、第１開閉弁６１は第２蓄熱開閉弁５２と室内膨張装置１１とを接続する配管途中に配置される。第２開閉弁６２は四方弁２と室内熱交換器１２との接続配管の途中に配置される。第２蓄熱開閉弁５２と第１開閉弁６１との接続配管の途中で分岐部と、蓄熱膨張装置８、蓄熱熱交換器１０、第３蓄熱開閉弁５３と、四方弁２と第１開閉弁６２との接続配管の途中の分岐部分と、が順次配管で連結される。
蓄熱熱交換器１０と第３蓄熱開閉弁５３とを接続する配管途中の分岐部分と、室外膨張装置４と第２蓄熱開閉弁５２とを接続する配管途中の分岐部分と、は第１蓄熱開閉弁５１を介して連結される。
蓄熱ユニット内部にサイクル配管内の油を除去するためサイクル配管洗浄装置を接続する。そして、接続するための第１洗浄装置接続口７１は、第１開閉弁６１と室内膨張装置１１との配管途中に設けられる。さらに、第２洗浄装置接続口７２を第２開閉弁６２と室内熱交換器１２との配管途中設ける。
【００１１】
図２は洗浄装置と室外ユニットと蓄熱ユニットと室内ユニット間の伝送線の配線を示し、伝送線は洗浄装置制御装置、室外ユニット制御装置、蓄熱ユニット制御装置、室内ユニット制御装置を順次連結している。
図３は洗浄装置を示し、洗浄装置には冷媒を循環する冷媒循環装置およびサイクル配管内の油を回収する油回収容器が配置され、洗浄装置吸入側接続口および洗浄装置吐出側接続口が設けられている。
【００１２】
図を参照して洗浄方法について以下説明する。
室内ユニットと蓄熱ユニット間を接続する配管は、ＣＦＣ系冷媒あるいはＨＣＦＣ冷媒で使用された配管であり、内面には冷凍機油が付着している。また、室外ユニットと蓄熱ユニット間を接続する配管は、新品の配管である。
【００１３】
洗浄装置の吐出側接続口を第１洗浄装置接続口７１へ、吸入側接続口を第２洗浄装置接続口７２に接続し、第１開閉弁６１と第２開閉弁６２を開ける。第１開閉弁６１と第２開閉弁６２を開ける動作は、手動または洗浄装置からの指令で行う。
【００１４】
洗浄装置の運転を始めると、洗浄装置の制御装置から、室内膨張装置１１の制御情報が伝送線で送られ、室内膨張装置１１が開き、洗浄装置の冷媒循環装置が駆動し洗浄用の冷媒であるＣＦＣ系またはＨＣＨＣ系の冷媒が蓄熱ユニットと室内ユニット間の配管内を流れ、冷媒が配管内面に付着している冷凍機油を溶かすとともに、冷媒の流れにより、洗浄装置内に設置されている油回収容器に油が溜められる。洗浄装置の制御装置で洗浄完了と判断すると室内膨張装置１１の制御情報が伝送線で送られ、室内膨張装置１１が閉じられる。
【００１５】
また、図４に示されるように、複数台の室内ユニットが接続された場合は、室内ユニットａのみ室内膨張装置１１が開き、室内ユニットｂ、室内ユニットｃの室内膨張装置１１は閉じたまたとする。この指令は洗浄装置運転を始めた時、洗浄装置の制御装置から伝送線で送られ、洗浄装置の冷媒循環装置が駆動し洗浄運転が開始される。
室内ユニットａと蓄熱ユニット間の配管が洗浄完了すると、室内ユニットｂと蓄熱ユニット間との配管洗浄を開始すべく、室内ユニットｂのみ室内膨張装置１１が開き、室内ユニットａ、室内ユニットｃの室内膨張装置１１は閉じたまたとする。このように、複数台室内ユニットが接続された洗浄運転を実施する場合は、１台のみ室内ユニットの室内膨張装置を開け、他の室内ユニットの室内膨張装置は閉じておくような動作となる。
【００１６】
以上、蓄熱ユニットと室内ユニット間を連結する配管内の洗浄運転を行うことにより、洗浄流体が蓄熱ユニット内部の弁体による圧力損失により洗浄流体の流速の低下による洗浄性能の低下を防ぐことができる。
【００１７】
【発明の効果】
本発明によれば、洗浄性能を向上し、短時間で配管洗浄を行うことができる。
【図面の簡単な説明】
【図１】本発明による一実施の形態を示す空気調和機のブロック図。
【図２】一実施の形態による空気調和機及び洗浄装置の制御装置を連結する伝送線の接続を示すブロック図。
【図３】一実施の形態による洗浄装置を示すブロック図。
【図４】他の実施の形態による空気調和機を示すブロック図。
【符号の説明】
１…圧縮機、２…四方弁、３…室外熱交換器、４…室外膨張装置、５１…第１蓄熱開閉弁、５２…第２蓄熱開閉弁、５３…第３蓄熱開閉弁、６１…第１開閉弁、６２…第２開閉弁、７１…第１洗浄装置接続口、７２…第２洗浄装置接続口、８…蓄熱膨張装置、９…蓄熱媒体、１０…蓄熱熱交換器、１１…室内膨張装置、１２…室内熱交換器。
【図１】
2005037020.tif 000003
【図２】
2005037020.tif 000004
【図３】
2005037020.tif 000005
【図４】
2005037020.tif 000006